(57)【要約】【課題】居住者に対し不審者の通報を行う照明制御システムにおいて、不審者を不要意に刺激せず、季節変化に基づく人感センサの性能変動を排除することにより、不審者検出の精度を向上させる。【解決手段】照明制御システム１は、人感センサ２１を有した照明器具２と、人感センサ２１による検出信号を基にシステム全体を制御するコントローラ３と、人感検知を居住者に報知する機能を持つ報知用器具４と、を備える。人感センサ２１は、照明器具２のセンサ取付部に取り付けられ、制御部２２は、人感センサ２１の検知とは独立した一般の制御信号を基に、負荷２４の点灯を制御する。コントローラにより設定されるスレッシュレベルは、人感センサの周囲温度に応じたテーブルとしてプログラムされており、制御部３３にて自動調整される。また、調整部３４で切替え操作することで、手動調整も可能である。【選択図】図４
2008084588.tif 000002
【特許請求の範囲】
【請求項１】
屋外に設けられた人感センサと、前記人感センサによる検出信号を基に屋内外に配置された照明器具の点灯を制御するコントローラとを備え、前記コントローラは、前記人感センサによる人検知状態の時間当たりの回数又は１回分の検知時間が予め設定されたスレッシュレベルを超えたときに、不審者通報モードに入り、屋内に配置された照明器具を点灯させる照明制御システムにおいて、
前記コントローラに設定されるスレッシュレベルは、前記人感センサの周囲温度の変化に応じて、自動又は手動により調整自在とされており、
前記人感センサは、屋外に設けられた照明器具のセンサ取付部に取り付けられることを特徴とする照明制御システム。
【発明の詳細な説明】
【技術分野】
【０００１】
本発明は、家屋周りの屋外に不審者が存在することを検知したときに、屋内に配置された照明器具を自動的に点灯させることにより、屋内の居住者に対し不審者の通報を行う照明制御システムに関する。
【背景技術】
【０００２】
従来の屋外に設置された所定の検知エリア内での人の在否に基づいて照明器具の点灯状態を制御するようにした照明制御システムとしては、同じ検知エリアで来客と不審者とを識別し、不審者を検知すると照明器具を自動的に点灯させるようにしたものが知られている（特許文献１参照）。これらの照明制御システムでは、屋外に設けられた人感センサと、人感センサによる検出信号を基に屋内外に配置された照明器具の点灯を制御するコントローラとを備え、コントローラは、人感センサによる人検知状態の時間当たりの回数又は１回分の検知時間が予め設定されたスレッシュレベルを超えたときに、屋内に配置された照明器具を点灯させるように構成されている。
【特許文献１】特開平５−１０９４８６号公報
【発明の開示】
【発明が解決しようとする課題】
【０００３】
上述したような照明制御システムにおいては、人感センサの周囲温度の変化に応じたスレッシュレベルの調整機能を有しないために、季節変化に基づく人感センサの周囲温度による性能変動により、不審者検出の精度を維持することが難しい。また、人感センサが、玄関口や勝手口などの出入口付近の天井部分に配置されるために、不審者に対する威嚇が行われ、不審者に対する刺激がかえって不審行動を助長させることがある。
【０００４】
本発明は、上記従来の問題を解決するためになされたものであり、季節変化に基づく人感センサの周囲温度による性能変動を排除して、不審者検出の精度を維持することができ、また、大掛かりなカメラを露出して設置する場合等に比べて、不審者を刺激することが少ない照明制御システムを提供することを目的とする。
【課題を解決するための手段】
【０００５】
上記目的を達成するために請求項１の発明は、屋外に設けられた人感センサと、前記人感センサによる検出信号を基に屋内外に配置された照明器具の点灯を制御するコントローラとを備え、前記コントローラは、前記人感センサによる人検知状態の時間当たりの回数又は１回分の検知時間が予め設定されたスレッシュレベルを超えたときに、不審者通報モードに入り、屋内に配置された照明器具を点灯させる照明制御システムにおいて、前記コントローラに設定されるスレッシュレベルは、前記人感センサの周囲温度の変化に応じて、自動又は手動により調整自在とされており、前記人感センサは、屋外に設けられた照明器具のセンサ取付部に取り付けられるものである。
【発明の効果】
【０００６】
請求項１の発明によれば、コントローラに設定されるスレッシュレベルは、人感センサの周囲温度の変化に応じて自動又は手動により調整することができるので、季節変化に基づく人感センサの周囲温度による性能変動を排除して、不審者検出の精度を維持することができる。また、人感センサは、屋外に設けられた照明器具のセンサ取付部に取り付けられるので、照明器具の外観からその存在を直ちに確認することができず、大掛かりなカメラを露出して設置する場合等に比べて、不審者を刺激することが少ない。
【発明を実施するための最良の形態】
【０００７】
（第１の実施形態）
本発明の第１の実施形態に係る照明制御システムについて図１及び図２を参照して説明する。照明制御システム１は、人感センサ２１を有した照明器具２と、人感センサ２１による検出信号を基にシステム全体を制御するコントローラ３と、人感検知を居住者に報知する機能を持つ報知用器具４と、を備える。照明器具２は屋外に配置され、コントローラ３と報知用器具４は屋内に配置される。報知用器具４としては、この例では屋内の照明器具を用いているが、この例に限られない。
【０００８】
照明器具２は、該器具のセンサ取付部に取り付けられた人感センサ２１と、人感センサ２１による人の検知をトリガにして検出信号の送信制御を行う制御部２２と、赤外線、ＲＦ、又は有線などで検出信号をコントローラ３の受信部３１に向けて送信する送信部２３と、人感センサ２１の検知とは独立し、一般の点灯制御を行う負荷２４と、を備える。負荷２４としては、例えば、ランプや蛍光灯等が挙げられるが、この例に限られない。
【０００９】
コントローラ３は、照明器具２の送信部２３から送信される検知信号を受信する受信部３１と、受信部３１で受信した検知信号の受信時刻を計る計時部３２と、受信部３１で受信した検出信号と計時部３２で計った受信時刻を基に報知用器具４の点灯を制御する制御部３３と、制御部３３での制御に際し使用されるスレッシュレベルの設定、調整等を行う調整部３４とを備える。調整部３４としては、例えば、調整ツマミやディップスイッチを用いてレベル設定を切替える。
【００１０】
上記のように構成された本実施形態のシステム全体の動作について次に説明する。照明器具２の人感センサ２１が人を検知すると、送信部２３は、制御部２２からの指示により、検出信号をコントローラ３の受信部３１に向けて送信する。一方で、制御部２２は、人感センサ２１の検知とは独立した一般の制御信号を基に、負荷２４の点灯を制御する。これにより、コントローラ３が検出信号を受信するに際し、不審者を不要意に刺激することがない。
【００１１】
コントローラ３の受信部３１が検知信号を受信すると、制御部３３は計時部３２により受信時刻の記録を行い、検知信号と受信時刻を基に不審者の判定を行なう。人検知状態の所定の時間当たりの回数が予め設定されたスレッシュレベルを超えたときに、不審者と判定し、判定した不審者情報を記録し、報知用器具４を点灯させる。
【００１２】
下記表１は、１日の時間帯毎の、人検出状態の時間、例えば６０秒当たりの回数に対する予め設定されたスレッシュレベルを示す。該スレッシュレベルは、例えば、季節や人感センサの周囲温度等に応じたテーブルとしてプログラムされており、調整部３４で切替え操作することで、簡単に調整することができる。人通りの少ない時間帯には、該スレッシュレベルを小さく設定することで、不審者をより的確に判定でき、人通りの多い時間帯には、該スレッシュレベルを大きく設定することで、通行人、来客等による不審者との判定を減らすことができる。
【表１】
2008084588.tif 000003
【００１３】
なお、照明器具２が温度センサを備えることで、制御部２２は検知信号を基にスレッシュレベルを自動調整することも可能である。
【００１４】
（第２の実施形態）
本発明の第２の実施形態に係る照明制御システムについて、図３を参照して説明する。照明制御システム１は、コントローラ３に人検知状態の所定の時間当たり回数に対するスレッシュレベルに学習機能を備える点で第１の実施形態と異なる。
【００１５】
具体的には、所定の時間帯毎での、人検知状態の所定の時間当たりの回数を、日、曜日、月の毎に記憶し、記憶した回数の平均値を基にスレッシュレベルの設定を行う。これにより、不審者を判定する精度を上げることができる。
【００１６】
（第３の実施形態）
本発明の第３の実施形態に係る照明制御システムについて、図４を参照して説明する。照明制御システム１は、照明器具２に温度センサ２５を備える点で第１及び第２の実施形態と異なる。
【００１７】
人感センサ２１は、赤外線などを利用して、周囲温度と温度差のあるものが検知エリア内で動いたときに、その温度変化を検知する仕組みになっている。また、図５で示されるように、人感センサ出力がＨｉｇｈのとき非検知、Ｌｏｗのとき検知とした場合には、Ｌｏｗ出力が開始してから次にＨｉｇｈ出力になるまでの時間が検知時間となる。周囲温度が高くなると、人の体温との温度差が少なくなり、人が居ても人感センサ出力に現れにくくなるため、短い検知時間でも検知とみなすことで、検知し易くすればよい。
【００１８】
本実施形態においては、照明器具２が温度センサ２５を備えているので、制御部３３に向けて送信する検知信号には、検知があったという情報と、検知時間の情報と、周囲温度の情報と、が含まれる。制御部３３は、検知時間が予め設定されたスレッシュレベルを超えたときに、１回分の人検知状態と判定する。該スレッシュレベルは、人感センサの周囲温度に応じたテーブルとしてプログラムされており、制御部３３にて自動調整される。また、調整部３４で切替え操作することで、手動調整も可能である。具体的には周囲温度と人の体温との温度差が小さい、例えば夏季には、短い検知時間でも検知とみなす判定を行い、温度差が大きい、例えば冬季には、比較的長い時間で検知とみなす判定を行う。例えば、図５において、Ｔ１が冬季、Ｔ２は春季及び秋季、Ｔ３が夏季として表される。これにより、季節変化に基づく人感センサ２１の周囲温度による性能変動を排除して、不審者検出の精度を維持することができる。
【００１９】
（第４の実施形態）
本発明の第４の実施形態に係る照明制御システムについて、図６を参照して説明する。照明制御システム１は、照明器具２を複数備える点で他の実施形態と異なる。
【００２０】
本実施形態においては、複数ある照明器具２のうち、一方の照明器具２の人感センサ２１が人を検知すると、送信部２３は、制御部２２からの指示により、検出信号をコントローラ３の受信部３１に向けて送信する。コントローラ３の受信部３１が複数の検知信号を受信すると、制御部３３は計時部３２により受信時刻の記録を行い、検知信号と受信時刻を基に不審者の判定を行なう。人検知状態の所定の時間当たりの回数が予め設定されたスレッシュレベルを超えたときに、不審者と判定し、判定した不審者情報を記録し、報知用器具４を点灯させる。さらに、複数ある照明器具２のうち、２機以上の照明器具２の人感センサ２１が予め設定した時間内に連続して人を検知した場合、検知信号と受信時刻を基に要注意の不審者の判定を行なう。人検知状態の所定の時間当たりの合計回数が、該スレッシュレベルとは異なる、予め設定されたスレッシュレベルを超えたときに、不審者と判定し、判定した不審者情報を記録し、報知用器具４を点灯させる。これにより、不審者がとる可能性の高い行動を検出し、不審者を判定する精度を上げることができる。
【００２１】
なお、本発明は、上記各種実施形態の構成に限られることなく、発明の趣旨を変更しない範囲で種々の変形が可能である。例えば、人検知状態の所定の時間当たりの回数に対するスレッシュレベルを数段階に分けて設定し、該回数が該スレッシュレベルを超えたときに、不審者を判定するものであってよい。
【図面の簡単な説明】
【００２２】
【図１】本発明の第１の実施形態に係る照明制御システムの構成図。
【図２】同システムの電気的構成のブロック図。
【図３】本発明の第２の実施形態に係る照明制御システムの電気的構成のブロック図。
【図４】本発明の第３の実施形態に係る照明制御システムの電気的構成のブロック図。
【図５】同システムにおける検知時間を示す図。
【図６】本発明の第４の実施形態に係る照明制御システムの電気的構成のブロック図。
【符号の説明】
【００２３】
１  照明制御システム
２  照明器具
３  コントローラ
４  報知用器具
２１  人感センサ
２２  制御部
２３  送信部
２４  負荷
２５  温度センサ
３１  受信部
３２  計時部
３３  制御部
３４  調整部
【図１】
2008084588.tif 000004
【図２】
2008084588.tif 000005
【図３】
2008084588.tif 000006
【図４】
2008084588.tif 000007
【図５】
2008084588.tif 000008
【図６】
2008084588.tif 000009